(57)【要約】  本発明は、下記式（Ｉ）：2014126028.tif 000019［式中の各記号は、明細書に記載のとおりである。］で表される光学活性ポリ（ジフェニルアセチレン）化合物及びその製造方法、該ポリ（ジフェニルアセチレン）化合物からなる光学異性体分離剤、並びに該光学異性体分離剤を担体にコーティングしてなるキラルカラム用充填剤に関する。本発明によれば、広範なラセミ化合物に対し高い光学分割能を有する実用的な光学異性体分離剤及び光学異性体分離方法を提供することができる。
2014126028.tif 000002
【特許請求の範囲】
【請求項１】
式（Ｉ）：
【化１】
2014126028.tif 000017
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；
Ｘは、光学活性キラル化合物との縮合によりアミド化又はエステル化されたカルボキシ基を示し；並びに
ｎは、１０以上の整数を示す。]
で表されるポリ（ジフェニルアセチレン）化合物又はその塩、或いはその溶媒和物。
【請求項２】
一方向巻きのらせん構造を有することを特徴とする、請求項１記載の化合物又はその塩、或いはその溶媒和物。
【請求項３】
Ｒ１とＲ１’、Ｒ２とＲ２’、Ｒ３とＲ３’及びＲ４とＲ４’が、それぞれ同一の基である、請求項１又は２に記載の化合物又はその塩、或いはその溶媒和物。
【請求項４】
Ｘが、１−フェニルエチルアミン、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、２−フェニルグリシノール、バリノール、ノルエフェドリン、メチオニノール、１−ベンジル−３−アミノピロリジン、２−（メトキシメチル）ピロリジン、１−メチル−２−（１−ピペリジノメチル）ピロリジン、１−（２−ピロリジノメチル）ピロリジン、１−フェニルエチルアルコール、１−フェニル−２−プロパノール、１，２，３，４−テトラヒドロ−１−ナフトール、１−アセチル−３−ピロリジノール、１−ベンジル−３−ピロリジノール、２−ブタノール、α−ヒドロキシ−γ−ブチロラクトン、３−ヒドロキシテトラヒドロフラン、１−メチル−３−ピロリジノール、２−オクタノール、２−ペンタノール、１−（２−ナフチル）エタノール、メントール、ボルネオール、キニジン、キニン、キンコリン、キンコリジン、シンコニジン、シンコニン及びカルボキシ基を保護したアミノ酸からなる群より選択されるキラル化合物の光学活性体との縮合によりアミド化又はエステル化されたカルボキシ基である、請求項１〜３のいずれか一項に記載の化合物又はその塩、或いはその溶媒和物。
【請求項５】
Ｒ１、Ｒ１’、Ｒ２、Ｒ２’、Ｒ３、Ｒ３’、Ｒ４及びＲ４’が、独立してそれぞれ水素原子、ハロゲン原子、ハロゲン原子により置換されていてもよいＣ１−６アルキル基、ハロゲン原子により置換されていてもよいＣ１−６アルコキシ基、トリＣ１−６アルキルシリル基又はトリＣ１−６アルキルシロキシ基であって、且つＲ１とＲ１’、Ｒ２とＲ２’、Ｒ３とＲ３’及びＲ４とＲ４’が、それぞれ同一の基であり；
Ｘが、１−フェニルエチルアミン、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、２−フェニルグリシノール、バリノール、ノルエフェドリン、メチオニノール、１−ベンジル−３−アミノピロリジン、２−（メトキシメチル）ピロリジン、１−（２−ピロリジノメチル）ピロリジン及びカルボキシ基を保護したアミノ酸からなる群より選択される化合物の光学活性体との縮合によりアミド化されたカルボキシ基であり；並びに
ｎが、１０以上１００００以下の整数である、請求項１又は２に記載の化合物又はその塩、或いはその溶媒和物。
【請求項６】
Ｒ１、Ｒ１’、Ｒ２、Ｒ２’、Ｒ３、Ｒ３’、Ｒ４及びＲ４’が、独立してそれぞれ水素原子又はハロゲン原子であって、且つＲ１とＲ１’、Ｒ２とＲ２’、Ｒ３とＲ３’及びＲ４とＲ４’が、それぞれ同一の基であり；
Ｘが、（Ｓ）−（−）−１−フェニルエチルアミン又は（Ｒ）−（＋）−１−フェニルエチルアミンとの縮合によりアミド化されたカルボキシ基であり；並びに
ｎが、１００以上１００００以下の整数である、請求項１又は２に記載の化合物又はその塩、或いはその溶媒和物。
【請求項７】
請求項１〜６のいずれか一項に記載のポリ（ジフェニルアセチレン）化合物からなる光学異性体分離剤。
【請求項８】
請求項７記載の光学異性体分離剤を担体に担持してなる充填剤。
【請求項９】
担体がシリカゲルである、請求項８記載の充填剤。
【請求項１０】
請求項８又は９に記載の充填剤を充填して調製されるキラルカラム。
【請求項１１】
光学異性体の混合物の純度測定用又は分離用として使用する、請求項１０記載のキラルカラム。
【請求項１２】
請求項２記載の化合物又はその塩、或いはその溶媒和物の製造方法であって、式（ＩＩ）：
【化２】
2014126028.tif 000018
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；並びに
ｎは、１０以上の整数を示す。]
で表されるポリ（ジフェニルアセチレン）化合物のカルボキシ基を光学活性キラル化合物と縮合させて、アミド化又はエステル化する工程、及び
前記アミド化又はエステル化された化合物を加熱処理する工程を含むことを特徴とする、方法。
【請求項１３】
加熱処理が、約９０℃で行われることを特徴とする、請求項１２記載の方法。
【請求項１４】
光学活性キラル化合物が、１−フェニルエチルアミン、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、２−フェニルグリシノール、バリノール、ノルエフェドリン、メチオニノール、１−ベンジル−３−アミノピロリジン、２−（メトキシメチル）ピロリジン、１−メチル−２−（１−ピペリジノメチル）ピロリジン、１−（２−ピロリジノメチル）ピロリジン、１−フェニルエチルアルコール、１−フェニル−２−プロパノール、１，２，３，４−テトラヒドロ−１−ナフトール、１−アセチル−３−ピロリジノール、１−ベンジル−３−ピロリジノール、２−ブタノール、α−ヒドロキシ−γ−ブチロラクトン、３−ヒドロキシテトラヒドロフラン、１−メチル−３−ピロリジノール、２−オクタノール、２−ペンタノール、１−（２−ナフチル）エタノール、メントール、ボルネオール、キニジン、キニン、キンコリン、キンコリジン、シンコニジン、シンコニン及びカルボキシ基を保護したアミノ酸からなる群より選択される化合物の光学活性体である、請求項１２又は１３に記載の方法。
【請求項１５】
アミド化又はエステル化する工程が、アミド化する工程である、請求項１２〜１４のいずれか一項に記載の方法。
【請求項１６】
光学活性キラル化合物が、（Ｓ）−（−）−１−フェニルエチルアミン又は（Ｒ）−（＋）−１−フェニルエチルアミンである、請求項１５記載の方法。
【発明の詳細な説明】
【技術分野】
【０００１】
本発明は、クロマトグラフィー法、特に液体クロマトグラフィーによる光学異性体の分離に用いられる光学異性体分離剤及びそれを担持させてなる充填剤に関し、特に、広範なキラル化合物の光学異性体混合物の分離剤として有用な光学活性ポリ（ジフェニルアセチレン）化合物及びその製造方法に関する。
【背景技術】
【０００２】
有機化合物には物理的、化学的性質、例えば沸点、融点、溶解度といった物性が全く同一であるが、生理活性に差がみられる光学異性体が多く存在する。医薬の技術分野では、生体内の特定の受容体との結合のし易さによる薬理活性の違いがよく研究されており、光学異性体の間で薬効、毒性の点で顕著な差が見られる場合が多いことが広く知られている。このため薬物としてラセミ体を使用する場合には、それぞれの異性体について、吸収、分布、代謝、排泄動態を検討しておくことが望ましい旨、厚生労働省の医薬品製造指針にも記載されている。【０００３】
前述の通り、光学異性体の物理的、化学的性質は全く同一であるが故に、通常の分離手段では分析が行えないため、広範な種類の有機化合物の光学異性体を簡便、且つ精度良く分析する技術の研究が精力的に行われてきた。それらの中でも、特に高速液体クロマトグラフィー（以下、ＨＰＬＣと称することもある。）による光学分割法は、光学異性体分離機能を有する物質、すなわち、光学異性体分離剤そのもの、或いは光学異性体分離剤を適当な担体上に化学結合又はコーティングすることにより担持させたキラル固定相を使用して光学異性体を分離するものである。例えば、低分子化合物である光学活性なクラウンエーテル化合物を担体にコーティングした充填剤（特許文献１）、合成高分子である光学活性メタクリル酸トリフェニルメチルポリマーを担体にコーティングした充填剤（特許文献２）、多糖の誘導体である三酢酸セルロースを担体にコーティングした充填剤（特許文献３）、安息香酸セルロースを担体にコーティングした充填剤（特許文献４）、セルロースフェニルカルバメートを担体にコーティングした充填剤（特許文献５）、セルロースあるいはアミロース誘導体（非特許文献１）、タンパクであるオボムコイド（特許文献６）等が開発され、その高い光学分割能から商品化され、広く使用されている。
【先行技術文献】
【特許文献】
【０００４】
【特許文献１】特開昭６２−２１００５３号公報
【特許文献２】特開昭５７−１５０４３２号公報
【特許文献３】特開昭６０−８２８５８号公報
【特許文献４】特開昭６０−４０９５２号公報
【特許文献５】特開昭６０−１０８７５１号公報
【特許文献６】特開昭６３−３０７８２９号公報
【非特許文献】
【０００５】
【非特許文献１】Okamoto, Y., Kawashima, M. and Hatada, K. J.Am.Chem.Soc., 1984, 106, 5357.
【発明の概要】
【発明が解決しようとする課題】
【０００６】
しかし、光学異性体分離剤は、一般に非常に高価である。また、光学異性体分離剤は、いずれも特定の対象物（ラセミ体）についての分離性能には優れるものの、光学分割可能な化合物の範囲は極めて限定されていた。従って、光学分割可能な対象物の範囲を広げるためには、既存の光学異性体分離剤とは異なる化学構造を持ち、それによって異なる光学分割特性を示す新たな光学異性体分離剤の開発が望まれていた。
【課題を解決するための手段】
【０００７】
本発明者らは、かかる状況下、鋭意検討を重ねた結果、下記式（Ｉ）：【０００８】
【化１】
2014126028.tif 000003
【０００９】
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；
Ｘは、光学活性キラル化合物との縮合によりアミド化又はエステル化されたカルボキシ基を示し；並びに
ｎは、１０以上の整数を示す。]
で表される光学活性なポリ（ジフェニルアセチレン）化合物（以下、「化合物（Ｉ）」と称することもある。）又はその塩、或いはその溶媒和物、並びに化合物（Ｉ）の主鎖に一方向巻きのらせん構造を有するポリ（ジフェニルアセチレン）化合物（以下、単に「化合物（Ｉ−ｈ）」と称することもある。）又はその塩、或いはその溶媒和物が、広範なキラル化合物の光学異性体混合物の分離剤として有用であることを初めて見出し、本発明を完成するに至った。
すなわち、本発明は以下の通りである。
［１］式（Ｉ）：【００１０】
【化２】
2014126028.tif 000004
【００１１】
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；
Ｘは、光学活性キラル化合物との縮合によりアミド化又はエステル化されたカルボキシ基を示し；並びに
ｎは、１０以上の整数を示す。]
で表されるポリ（ジフェニルアセチレン）化合物又はその塩、或いはその溶媒和物。
［２］一方向巻きのらせん構造を有することを特徴とする、上記［１］記載の化合物又はその塩、或いはその溶媒和物。
［３］Ｒ１とＲ１’、Ｒ２とＲ２’、Ｒ３とＲ３’及びＲ４とＲ４’が、それぞれ同一の基である、上記［１］又は［２］に記載の化合物又はその塩、或いはその溶媒和物。
［４］Ｘが、１−フェニルエチルアミン、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、２−フェニルグリシノール、バリノール、ノルエフェドリン、メチオニノール、１−ベンジル−３−アミノピロリジン、２−（メトキシメチル）ピロリジン、１−メチル−２−（１−ピペリジノメチル）ピロリジン、１−（２−ピロリジノメチル）ピロリジン、１−フェニルエチルアルコール、１−フェニル−２−プロパノール、１，２，３，４−テトラヒドロ−１−ナフトール、１−アセチル−３−ピロリジノール、１−ベンジル−３−ピロリジノール、２−ブタノール、α−ヒドロキシ−γ−ブチロラクトン、３−ヒドロキシテトラヒドロフラン、１−メチル−３−ピロリジノール、２−オクタノール、２−ペンタノール、１−（２−ナフチル）エタノール、メントール、ボルネオール、キニジン、キニン、キンコリン、キンコリジン、シンコニジン、シンコニン及びカルボキシ基を保護したアミノ酸からなる群より選択されるキラル化合物の光学活性体との縮合によりアミド化又はエステル化されたカルボキシ基である、上記［１］〜［３］のいずれかに記載の化合物又はその塩、或いはその溶媒和物。
［５］Ｒ１、Ｒ１’、Ｒ２、Ｒ２’、Ｒ３、Ｒ３’、Ｒ４及びＲ４’が、独立してそれぞれ水素原子、ハロゲン原子、ハロゲン原子により置換されていてもよいＣ１−６アルキル基、ハロゲン原子により置換されていてもよいＣ１−６アルコキシ基、トリＣ１−６アルキルシリル基又はトリＣ１−６アルキルシロキシ基であって、且つＲ１とＲ１’、Ｒ２とＲ２’、Ｒ３とＲ３’及びＲ４とＲ４’が、それぞれ同一の基であり；
Ｘが、１−フェニルエチルアミン、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、２−フェニルグリシノール、バリノール、ノルエフェドリン、メチオニノール、１−ベンジル−３−アミノピロリジン、２−（メトキシメチル）ピロリジン、１−（２−ピロリジノメチル）ピロリジン及びカルボキシ基を保護したアミノ酸からなる群より選択される化合物の光学活性体との縮合によりアミド化されたカルボキシ基であり；並びに
ｎが、１０以上１００００以下の整数である、上記［１］又は［２］に記載の化合物又はその塩、或いはその溶媒和物。
[６]Ｒ１、Ｒ１’、Ｒ２、Ｒ２’、Ｒ３、Ｒ３’、Ｒ４及びＲ４’が、独立してそれぞれ水素原子又はハロゲン原子であって、且つＲ１とＲ１’、Ｒ２とＲ２’、Ｒ３とＲ３’及びＲ４とＲ４’が、それぞれ同一の基であり；
Ｘが、（Ｓ）−（−）−１−フェニルエチルアミン又は（Ｒ）−（＋）−１−フェニルエチルアミンとの縮合によりアミド化されたカルボキシ基であり；並びに
ｎが、１００以上１００００以下の整数である、上記［１］又は［２］に記載の化合物又はその塩、或いはその溶媒和物。
［７］上記［１］〜［６］のいずれかに記載のポリ（ジフェニルアセチレン）化合物からなる光学異性体分離剤。
［８］上記［７］記載の光学異性体分離剤を担体に担持してなる充填剤。
［９］担体がシリカゲルである、上記［８］記載の充填剤。
［１０］上記［８］又は［９］に記載の充填剤を充填して調製されるキラルカラム。
［１１］光学異性体の混合物の純度測定用又は分離用として使用する、上記［１０］記載のキラルカラム。
［１２］上記［２］記載の化合物又はその塩、或いはその溶媒和物の製造方法であって、式（ＩＩ）：【００１２】
【化３】
2014126028.tif 000005
【００１３】
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；並びに
ｎは、１０以上の整数を示す。]
で表されるポリ（ジフェニルアセチレン）化合物のカルボキシ基を光学活性キラル化合物と縮合させて、アミド化又はエステル化する工程、及び
前記アミド化又はエステル化された化合物を加熱処理する工程を含むことを特徴とする、方法。
［１３］加熱処理が、約９０℃で行われることを特徴とする、上記［１２］記載の方法。
［１４］光学活性キラル化合物が、１−フェニルエチルアミン、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、２−フェニルグリシノール、バリノール、ノルエフェドリン、メチオニノール、１−ベンジル−３−アミノピロリジン、２−（メトキシメチル）ピロリジン、１−メチル−２−（１−ピペリジノメチル）ピロリジン、１−（２−ピロリジノメチル）ピロリジン、１−フェニルエチルアルコール、１−フェニル−２−プロパノール、１，２，３，４−テトラヒドロ−１−ナフトール、１−アセチル−３−ピロリジノール、１−ベンジル−３−ピロリジノール、２−ブタノール、α−ヒドロキシ−γ−ブチロラクトン、３−ヒドロキシテトラヒドロフラン、１−メチル−３−ピロリジノール、２−オクタノール、２−ペンタノール、１−（２−ナフチル）エタノール、メントール、ボルネオール、キニジン、キニン、キンコリン、キンコリジン、シンコニジン、シンコニン及びカルボキシ基を保護したアミノ酸からなる群より選択される化合物の光学活性体である、上記［１２］又は［１３］に記載の方法。
［１５］アミド化又はエステル化する工程が、アミド化する工程である、上記［１２］〜［１４］のいずれかに記載の方法。
［１６］光学活性キラル化合物が、（Ｓ）−（−）−１−フェニルエチルアミン又は（Ｒ）−（＋）−１−フェニルエチルアミンである、上記［１５］記載の方法。
【発明の効果】
【００１４】
本発明の化合物（Ｉ）及び化合物（Ｉ−ｈ）は、広範なキラル化合物に対し優れた光学分割能を有する。本発明によれば、化合物（Ｉ）及び化合物（Ｉ−ｈ）を簡便に合成することができる。また、化合物（Ｉ）の製造に使用する光学活性キラル化合物として市販の化合物を広く使用できるので、その種類や絶対配置を、分離対象物の種類や溶出順序に応じて容易に選択及び最適化することができるという利点を有する。
【図面の簡単な説明】
【００１５】
【図１】（ａ）は、ジメチルスルホキシド／Ｎ，Ｎ−ジメチルホルムアミド（２：１，ｖ／ｖ）中で測定した化合物（Ｉａ）のＣＤおよびＵＶスペクトルであり、（ｂ）は、ジメチルスルホキシド／Ｎ，Ｎ−ジメチルホルムアミド（２：１，ｖ／ｖ）中で測定した化合物（Ｉａ−ｈ）のＣＤおよびＵＶスペクトルである。
【図２】実施例２の（２）で得られたキラルカラム（Ｂ）による１，１’−ビ−２−ナフトールのラセミ体のキラル分離クロマトグラム（流速：０．１ｍＬ／ｍｉｎ、溶離液：ヘキサン／２−プロパノール（９０：１０，ｖ／ｖ））である。
【発明を実施するための形態】
【００１６】
以下に本発明の詳細を説明する。
（定義）
【００１７】
本明細書中、「ハロゲン原子」とは、フッ素原子、塩素原子、臭素原子又はヨウ素原子を意味する。
【００１８】
本明細書中、「アルキル（基）」とは、直鎖状または分岐鎖状の炭素原子数１以上のアルキル基を意味し、特に炭素数範囲の限定がない場合には、好ましくは、Ｃ１−２０アルキル基であり、中でも、Ｃ１−１２アルキル基がより好ましく、Ｃ１−６アルキル基が特に好ましい。
【００１９】
本明細書中、「Ｃ１−２０アルキル（基）」とは、直鎖又は分岐鎖の炭素原子数１〜２０のアルキル基を意味し、例えば、メチル、エチル、プロピル、イソプロピル、ブチル、イソブチル、ｓｅｃ−ブチル、ｔｅｒｔ−ブチル、ペンチル、イソペンチル、ネオペンチル、１−エチルプロピル、ヘキシル、イソヘキシル、１，１−ジメチルブチル、２，２−ジメチルブチル、３，３−ジメチルブチル、２−エチルブチル、ヘプチル、オクチル、ノニル、デシル、ウンデシル、ドデシル、トリデシル、エイコシル等が挙げられる。
【００２０】
本明細書中、「Ｃ１−１２アルキル（基）」とは、直鎖又は分岐鎖の炭素原子数１〜１２のアルキル基を意味し、例えば、メチル、エチル、プロピル、イソプロピル、ブチル、イソブチル、ｓｅｃ−ブチル、ｔｅｒｔ−ブチル、ペンチル、イソペンチル、ネオペンチル、１−エチルプロピル、ヘキシル、イソヘキシル、１，１−ジメチルブチル、２，２−ジメチルブチル、３，３−ジメチルブチル、２−エチルブチル、ヘプチル、オクチル、ノニル、デシル、ウンデシル、ドデシル等が挙げられる。
【００２１】
本明細書中、「Ｃ１−６アルキル（基）」とは、直鎖又は分岐鎖の炭素原子数１〜６のアルキル基を意味し、例えば、メチル、エチル、プロピル、イソプロピル、ブチル、イソブチル、ｓｅｃ−ブチル、ｔｅｒｔ−ブチル、ペンチル、イソペンチル、ネオペンチル、１−エチルプロピル、ヘキシル、イソヘキシル、１，１−ジメチルブチル、２，２−ジメチルブチル、３，３−ジメチルブチル、２−エチルブチル等が挙げられる。
【００２２】
本明細書中、「シクロアルキル（基）」とは、環状アルキル基を意味し、特に炭素数範囲の限定がない場合には、好ましくは、Ｃ３−８シクロアルキル基である。
【００２３】
本明細書中、「Ｃ３−８シクロアルキル（基）」とは、炭素原子数３〜８の環状アルキル基を意味し、例えば、シクロプロピル、シクロブチル、シクロペンチル、シクロヘキシル、シクロヘプチル、シクロオクチル等が挙げられる。中でも、Ｃ３−６シクロアルキル基が好ましい。
【００２４】
本明細書中、「アルコキシ（基）」とは、直鎖または分岐鎖のアルキル基が酸素原子と結合した基を意味し、特に炭素数範囲は限定されないが、好ましくは、Ｃ１−６アルコキシ基である。
【００２５】
本明細書中、「Ｃ１−６アルコキシ（基）」とは、直鎖又は分岐鎖の炭素原子数１〜６のアルコキシ基を意味し、例えば、メトキシ、エトキシ、プロポキシ、イソプロポキシ、ブトキシ、イソブトキシ、ｓｅｃ−ブトキシ、ｔｅｒｔ−ブトキシ、ペンチルオキシ、イソペンチルオキシ、ネオペンチルオキシ、ヘキシルオキシ等が挙げられる。中でも、Ｃ１−４アルコキシ基が好ましい。
【００２６】
本明細書中、「アルキルチオ（基）」とは、直鎖または分岐鎖のアルキル基が硫黄原子と結合した基を意味し、特に炭素数範囲は限定されないが、好ましくは、Ｃ１−６アルキルチオ基である。
【００２７】
本明細書中、「Ｃ１−６アルキルチオ（基）」とは、直鎖又は分岐鎖の炭素原子数１〜６のアルキルチオ基を意味し、例えば、メチルチオ、エチルチオ、プロピルチオ、イソプロピルチオ、ブチルチオ、イソブチルチオ、ｓｅｃ−ブチルチオ、ｔｅｒｔ−ブチルチオ、ペンチルチオ、イソペンチルチオ、ネオペンチルチオ、ヘキシルチオ等が挙げられる。中でも、Ｃ１−４アルキルチオ基が好ましい。
【００２８】
本明細書中、「アシル（基）」とは、アルカノイル又はアロイルを意味し、特に炭素数範囲は限定されないが、好ましくは、Ｃ１−７アルカノイル基又はＣ７−１１アロイルである。
【００２９】
本明細書中、「Ｃ１−７アルカノイル（基）」とは、炭素原子数１〜７の直鎖又は分枝鎖状のホルミル又はアルキルカルボニルであり、例えば、ホルミル、アセチル、プロピオニル、ブチリル、イソブチリル、ペンタノイル、ヘキサノイル、ヘプタノイル等が挙げられる。
【００３０】
本明細書中、「Ｃ７−１１アロイル（基）」とは、炭素原子数７〜１１のアリールカルボニルであり、ベンゾイル等が挙げられる。
【００３１】
本明細書中、「アシルオキシ（基）」とは、アルカノイル基又はアロイル基が酸素原子と結合した基を意味し、特に炭素数範囲は限定されないが、好ましくは、Ｃ１−７アルカノイルオキシ基又はＣ７−１１アロイルオキシ基である。
【００３２】
本明細書中、「Ｃ１−７アルカノイルオキシ（基）」としては、例えば、ホルミルオキシ、アセトキシ、エチルカルボニルオキシ、プロピルカルボニルオキシ、イソプロピルカルボニルオキシ、ブチルカルボニルオキシ、イソブチルカルボニルオキシ、ｓｅｃ−ブチルカルボニルオキシ、ｔｅｒｔ−ブチルカルボニルオキシ、ペンチルカルボニルオキシ、イソペンチルカルボニルオキシ、ネオペンチルカルボニルオキシ、ヘキシルカルボニルオキシ等が挙げられる。
【００３３】
本明細書中、「Ｃ７−１１アロイルオキシ（基）」としては、例えば、ベンゾイルオキシ、１−ナフトイルオキシ、２−ナフトイルオキシ等が挙げられる。
【００３４】
本明細書中、「アリール（基）」とは、芳香族性を示す単環式あるいは多環式（縮合）の炭化水素基を意味し、具体的には、例えば、フェニル、１−ナフチル、２−ナフチル、ビフェニリル、２−アンスリル等のＣ６−１４アリール基を示す。中でもＣ６−１０アリール基が好ましい。
【００３５】
本明細書中、「Ｃ６−１０アリール（基）」とは、例えば、フェニル、１−ナフチル、２−ナフチルを示し、フェニルが特に好ましい。
【００３６】
本明細書中、「アラルキル（基）」とは、アルキル基にアリール基が置換した基を意味し、特に炭素数範囲は限定されないが、好ましくは、Ｃ７−１４アラルキルである。
【００３７】
本明細書中、「Ｃ７−１４アラルキル（基）」とは、「Ｃ１−４アルキル基」に「Ｃ６−１０アリール基」が置換した基を意味し、例えば、ベンジル、１−フェニルエチル、２−フェニルエチル、（ナフチル−１−イル）メチル、（ナフチル−２−イル）メチル、１−（ナフチル−１−イル）エチル、１−（ナフチル−２−イル）エチル、２−（ナフチル−１−イル）エチル、２−（ナフチル−２−イル）エチル、ビフェニリルメチル等が挙げられる。
【００３８】
本明細書中、「トリ置換シリル（基）」とは、同一又は異なる３個の置換基（例、Ｃ１−６アルキル基、Ｃ６−１０アリール基等）により置換されたシリル基を意味し、当該基としては、トリメチルシリル基、トリエチルシリル基、トリイソプロピルシリル基、ｔｅｒｔ−ブチルジメチルシリル基等のトリアルキルシリル基（好ましくは、トリＣ１−６アルキルシリル基）、ｔｅｒｔ−ブチルジフェニルシリル基、トリフェニルシリル基等が好ましい。
【００３９】
本明細書中、「トリ置換シロキシ（基）」とは、トリ置換シリル基が酸素原子と結合した基を意味する。当該基としては、トリメチルシロキシ基、トリエチルシロキシ基、トリイソプロピルシロキシ基、ｔｅｒｔ−ブチルジメチルシロキシ基等のトリアルキルシロキシ基（好ましくは、トリＣ１−６アルキルシロキシ基）が好ましい。
【００４０】
本明細書中、「置換されていてもよい」とは、１個以上の置換基を有していてもよいことを意味し、該「置換基」としては、（１）ハロゲン原子、（２）Ｃ１−６アルキル、（３）Ｃ３−８シクロアルキル、（４）Ｃ１−６アルコキシ、（５）Ｃ６−１０アリール、（６）Ｃ７−１４アラルキル、（７）Ｃ１−６アルキルチオ、（８）トリＣ１−６アルキルシリル基等が挙げられる。中でも、ハロゲン原子、Ｃ１−６アルキル、Ｃ１−６アルコキシ、トリメチルシリル、トリエチルシリル、トリイソプロピルシリル、ｔｅｒｔ−ブチルジメチルシリル等が好ましく、ハロゲン原子がより好ましい。また、複数の置換基が存在する場合、各置換基は、同一でも異なっていてもよい。
【００４１】
本明細書中、「一方向巻きのらせん構造」とは、右巻き又は左巻きのいずれかに片寄ったらせん構造であればよく、好ましくは完全に右巻き又は左巻きのらせん構造である。「一方向巻きのらせん構造」を有する化合物は、分子中に光学活性な官能基を有さなくても、片寄ったらせん構造のみに起因して光学活性を示す。
【００４２】
本明細書中、「光学活性」とは、光の平面偏光を回転させる性質、すなわち、旋光能を有する状態を意味する。好ましくは、光学的に純粋な状態である。
【００４３】
本明細書中、「光学活性キラル化合物」とは、光の平面偏光を回転させる性質、すなわち、旋光能を有する低分子化合物であり、分子量が１０００以下の有機化合物を意味し、特に限定されるものではない。好ましくは、光学的に純粋な不斉炭素原子を１つ有する化合物であり、例えば、光学的に純粋な両エナンチオマーが市販品として入手可能な１−フェニルエチルアミン、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、２−フェニルグリシノール、バリノール、ノルエフェドリン、メチオニノール、１−ベンジル−３−アミノピロリジン、２−（メトキシメチル）ピロリジン、１−メチル−２−（１−ピペリジノメチル）ピロリジン、１−（２−ピロリジノメチル）ピロリジン、１−フェニルエチルアルコール、１−フェニル−２−プロパノール、１，２，３，４−テトラヒドロ−１−ナフトール、１−アセチル−３−ピロリジノール、１−ベンジル−３−ピロリジノール、２−ブタノール、α−ヒドロキシ−γ−ブチロラクトン、３−ヒドロキシテトラヒドロフラン、１−メチル−３−ピロリジノール、２−オクタノール、２−ペンタノール、１−（２−ナフチル）エタノール、メントール、ボルネオール、キニジン、キニン、キンコリン、キンコリジン、シンコニジン、シンコニン、カルボキシ基を保護したアミノ酸等のキラル化合物の光学活性体が挙げられる。中でも、（Ｒ）−（＋）−１−フェニルエチルアミン又は（Ｓ）−（−）−１−フェニルエチルアミンが特に好ましい。該光学活性キラル化合物としては、光学的に純粋な化合物を使用するのが好ましいが、低い光学純度の化合物を用いてアミド化又はエステル化した化合物（Ｉ）を使用しても、ポリ（ジフェニルアセチレン）主鎖に片寄ったらせん構造を誘起することは可能である。従って、「光学活性キラル化合物」には、光学的に純粋な化合物だけでなく、光学純度の低い化合物も包含される。該低分子化合物は、液体でも固体でもよく、好ましくは、液体である。
【００４４】
本明細書中、「ｅｅ」とは、鏡像体過剰率（ｅｎａｎｔｉｏｍｅｒｉｃ  ｅｘｃｅｓｓ）の略称であり、キラルな化合物の光学純度を表す。「ｅｅ」は、多い方の鏡像体の物質量から少ない方の鏡像体の物質量を引き、全体の物質量で割った値に１００を掛けて算出され、「％ｅｅ」で表される。
【００４５】
本明細書中、「光学的に純粋な」とは、９９％ｅｅ以上の光学純度を示す状態を表す。
【００４６】
本明細書中、「鏡像異性体」とは、光学活性な低分子化合物中の全ての不斉炭素原子の立体配置が異なっている光学的対掌体を意味し、光学活性な低分子化合物と互いに右手と左手との関係にある１対の光学異性体を構成している。具体的には、例えば、光学活性な低分子化合物が（Ｒ）−（−）−２−フェニルグリシノールである場合の鏡像異性体は（Ｓ）−（＋）−２−フェニルグリシノールである。
【００４７】
本明細書中、「キラル化合物」とは、中心性キラリティー、軸性キラリティー又は面性キラリティーを持つ化合物を意味し、例えば、中心性キラリティー（不斉中心、すなわち、不斉炭素原子）を持つ化合物が挙げられる。
【００４８】
本明細書中、「ラセミ体」とは、キラル化合物の２種類の鏡像異性体（エナンチオマー）が等量存在することにより旋光性を示さなくなった状態の化合物を意味する。
【００４９】
本明細書中、「光学異性体分離剤」とは、キラル化合物の光学異性体の混合物を分離させる能力を有する物質であればよく、特に限定されない。
【００５０】
本発明の光学異性体分離剤を用いて、光学活性化合物を光学分割する方法としては、特に限定されるものではないが、例えば、ガスクロマトグラフィー、液体クロマトグラフィー、超臨界クロマトグラフィー、薄層クロマトグラフィー、キャピラリー電気泳動等のクロマトグラフィー法及び膜分離による光学異性体分離等が挙げられる。
【００５１】
本発明の光学異性体分離剤を、例えば、高速液体クロマトグラフィー用のカラム充填剤の固定相として使用する場合、溶離液としては、本発明の分離剤を溶解又はこれと反応する液体を除いて特に限定するものではなく、ヘキサン−２−プロパノール等を用いる順相系、アルコール−水等を用いる逆相系のいずれにおいても応用可能である。
【００５２】
本発明において、化合物（Ｉ）又は化合物（Ｉ−ｈ）自体を光学異性体分離剤として使用することもできるが、分離剤の耐圧能力の向上、溶媒置換による膨潤、収縮の防止、理論段数の向上等の目的のため、何らかの担体に担持させることが好ましい。
【００５３】
本発明に用いられる担体としては、多孔質有機担体又は多孔質無機担体が挙げられ、好ましくは多孔質無機担体である。多孔質有機担体として適当なものは、ポリスチレン、ポリアクリルアミド、ポリアクリレート等からなる高分子物質であり、多孔質無機担体として適当なものは、シリカゲル、アルミナ、マグネシア、ガラス、カオリン、酸化チタン、ケイ酸塩、ヒドロキシアパタイトなどである。特に好ましい担体はシリカゲルである。
【００５４】
本発明の化合物（Ｉ）又は化合物（Ｉ−ｈ）を担体に担持させる方法としては、物理的方法でも化学的方法でもよく、特に限定されない。物理的方法としては、化合物（Ｉ）又は化合物（Ｉ−ｈ）と多孔質無機担体又は多孔質有機担体を接触させる方法が例示される。また、化学的方法としては、化合物（Ｉ）又は化合物（Ｉ−ｈ）の製造時にそのポリマーの末端に官能基を付与し、多孔質無機担体又は多孔質有機担体の表面上の官能基と化学的に結合させる方法が挙げられる。
【００５５】
本発明の化合物（Ｉ）又は化合物（Ｉ−ｈ）の担持量としては、用いる担体の種類、物性により異なり、特に限定されるものではないが、担体の重量に対して、通常１〜１０００重量％の範囲である。
【００５６】
本発明の充填剤は、ガスクロマトグラフィー、液体クロマトグラフィー、超臨界クロマトグラフィー、薄層クロマトグラフィー、キャピラリー電気泳動などのクロマトグラフィー法及び膜分離による光学異性体分離に用いるのが一般的であるが、特に液体クロマトグラフィー法に応用するのが好ましい。
【００５７】
更に本発明の充填剤は、主として光学純度測定を目的に使用される高速液体クロマトグラフィーの分析用キラルカラム、数ｍｇ〜数ｋｇの光学活性体取得を目的とする単カラム方式の液体クロマトグラフィーの分取用キラルカラム、擬似移動床方式に代表される連続式液体クロマトグラフィーの分取用キラルカラム等に好ましく使用される。
【００５８】
本発明の光学異性体分離剤は、上記した液体クロマトグラフィーの充填剤用途のみに限らず、核磁気共鳴スペクトル（ＮＭＲ）のシフト試薬等としても利用可能である。
【００５９】
本発明の光学異性体分離剤、又は該光学異性体分離剤を担持させてなる充填剤をキラル固定相として用いるキラルカラムにより分離することができる光学異性体の混合物としては、特に限定されないが、分子量が５００以下の広範な低分子化合物の光学異性体分離に好適に使用することができる。該低分子化合物としては、特に限定されないが、例えば、置換シクロプロパン類、置換シクロブタン類、２−フェニルシクロヘキサノン、置換されていてもよいビナフトール、アルコール類、金属アセチルアセトナート錯体（例、コバルト等）等が挙げられる。
【００６０】
（本発明の化合物（Ｉ）及び化合物（Ｉ−ｈ））
本発明の化合物（Ｉ）は、下記式（Ｉ）： 
【００６１】
【化４】
2014126028.tif 000006
【００６２】
［式中、
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を示し；
Ｘは、光学活性キラル化合物との縮合によりアミド化又はエステル化されたカルボキシ基を示し；並びに
ｎは、１０以上の整数を示す。]
で表されるポリ（ジフェニルアセチレン）化合物であり、また本発明の化合物（Ｉ−ｈ）は、化合物（Ｉ）のうち、そのポリマー主鎖に一方向巻きのらせん構造を有する化合物である。
【００６３】
本発明の化合物（Ｉ）の塩（若しくは化合物（Ｉ−ｈ）の塩）とは、例えば、無機酸との塩、有機酸との塩、無機塩基との塩、有機塩基との塩、アミノ酸との塩等が挙げられる。
【００６４】
無機酸との塩として、例えば、塩酸、硝酸、硫酸、リン酸、臭化水素酸等との塩が挙げられる。
有機酸との塩として、例えば、シュウ酸、マレイン酸、クエン酸、フマル酸、乳酸、リンゴ酸、コハク酸、酒石酸、酢酸、トリフルオロ酢酸、グルコン酸、アスコルビン酸、メタンスルホン酸、ベンゼンスルホン酸、ｐ−トルエンスルホン酸等との塩が挙げられる。
無機塩基との塩として、例えば、ナトリウム塩、カリウム塩、カルシウム塩、マグネシウム塩、アンモニウム塩等が挙げられる。
有機塩基との塩として、例えば、メチルアミン、ジエチルアミン、トリメチルアミン、トリエチルアミン、エタノールアミン、ジエタノールアミン、トリエタノールアミン、エチレンジアミン、トリス（ヒドロキシメチル）メチルアミン、ジシクロヘキシルアミン、Ｎ，Ｎ’−ジベンジルエチレンジアミン、グアニジン、ピリジン、ピコリン、コリン、シンコニン、メグルミン等との塩が挙げられる。
アミノ酸との塩として、例えば、リジン、アルギニン、アスパラギン酸、グルタミン酸等との塩が挙げられる。
本発明の化合物（Ｉ）の塩（若しくは化合物（Ｉ−ｈ）の塩）は、好ましくは、無機塩基または有機塩基との塩である。
【００６５】
本発明の化合物（Ｉ）（若しくは化合物（Ｉ−ｈ））又はその塩の溶媒和物とは、本発明の化合物（Ｉ）（若しくは化合物（Ｉ−ｈ））又はその塩に、溶媒の分子が配位したものであり、水和物も包含される。例えば、本発明の化合物（Ｉ）（若しくは化合物（Ｉ−ｈ））またはその塩の水和物、エタノール和物、ジメチルスルホキシド和物等が挙げられる。
【００６６】
以下、本発明の化合物（Ｉ）の各基について説明する。
【００６７】
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいシクロアルキル基、置換されていてもよいアルコキシ基、置換されていてもよいアルキルチオ基、トリ置換シリル基、トリ置換シロキシ基又は置換されていてもよいアシルオキシ基を表す。
【００６８】
Ｒ１、Ｒ１’、Ｒ２、Ｒ２’、Ｒ３、Ｒ３’、Ｒ４及びＲ４’は、好ましくは、独立してそれぞれ水素原子、ハロゲン原子、置換されていてもよいアルキル基、置換されていてもよいアルコキシ基、トリアルキルシリル基又はトリアルキルシロキシ基であり、より好ましくは、独立してそれぞれ水素原子、ハロゲン原子、ハロゲン原子により置換されていてもよいＣ１−６アルキル基、ハロゲン原子により置換されていてもよいＣ１−６アルコキシ基、トリＣ１−６アルキルシリル基又はトリＣ１−６アルキルシロキシ基であり、中でも、水素原子又はハロゲン原子が特に好ましい。
【００６９】
Ｒ１、Ｒ１’、Ｒ２、Ｒ２’、Ｒ３、Ｒ３’、Ｒ４及びＲ４’は、好ましくは、Ｒ１とＲ１’、Ｒ２とＲ２’、Ｒ３とＲ３’及びＲ４とＲ４’が、それぞれ同一の基である。Ｒ１、Ｒ１’、Ｒ２、Ｒ２’、Ｒ３、Ｒ３’、Ｒ４及びＲ４’の全てが同一の基であってもよい。
【００７０】
Ｘは、光学活性キラル化合物との縮合によりアミド化又はエステル化されたカルボキシ基を表す。光学活性キラル化合物としては、前記例示した化合物が挙げられる。
【００７１】
Ｘは、好ましくは、光学活性キラルアミンとの縮合によりアミド化されたカルボキシ基である。光学活性キラルアミンとしては、光学活性キラル化合物として前記例示した化合物のうち、１−フェニルエチルアミン、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、２−フェニルグリシノール、バリノール、ノルエフェドリン、メチオニノール、１−ベンジル−３−アミノピロリジン、２−（メトキシメチル）ピロリジン、１−（２−ピロリジノメチル）ピロリジン、カルボキシ基を保護したアミノ酸等の光学活性体が挙げられる。
【００７２】
Ｘは、より好ましくは、（Ｒ）−（＋）−１−フェニルエチルアミン又は（Ｓ）−（−）−１−フェニルエチルアミンとの縮合によりアミド化されたカルボキシ基である。
【００７３】
ｎは、１０以上の整数であり、好ましくは、１００以上１００００以下の整数である。
【００７４】
本発明の化合物（Ｉ）としては、以下の化合物が好適である。
［化合物（ＩＡ）］
Ｒ１、Ｒ１’、Ｒ２、Ｒ２’、Ｒ３、Ｒ３’、Ｒ４及びＲ４’は、独立してそれぞれ水素原子、ハロゲン原子、置換されていてもよいアルキル基、置換されていてもよいアルコキシ基、トリアルキルシリル基又はトリアルキルシロキシ基であり、且つＲ１とＲ１’、Ｒ２とＲ２’、Ｒ３とＲ３’及びＲ４とＲ４’が、それぞれ同一の基であり；
Ｘは、光学活性キラルアミン（例、１−フェニルエチルアミン、１−シクロヘキシルエチルアミン、１−（１−ナフチル）エチルアミン、１−（２−ナフチル）エチルアミン、sec−ブチルアミン、１−フェニル−２−（p−トリル）エチルアミン、１−（p−トリル）エチルアミン、１−（４−メトキシフェニル）エチルアミン、β−メチルフェネチルアミン、２−アミノ−１−ブタノール、２−アミノ−１，２−ジフェニルエタノール、１−アミノ−２−インダノール、２−アミノ−１−フェニル−１，３−プロパンジオール、２−アミノ−１−プロパノール、ロイシノール、フェニルアラニノール、２−フェニルグリシノール、バリノール、ノルエフェドリン、メチオニノール、１−ベンジル−３−アミノピロリジン、２−（メトキシメチル）ピロリジン、１−（２−ピロリジノメチル）ピロリジン、カルボキシ基を保護したアミノ酸等の光学活性体）との縮合によりアミド化されたカルボキシ基であり；並びに
ｎが、１０以上の整数である、化合物（Ｉ）。
【００７５】
より好適な化合物（Ｉ）は、以下の化合物である。
［化合物（ＩＢ）］
Ｒ１、Ｒ１’、Ｒ２、Ｒ２’、Ｒ３、Ｒ３’、Ｒ４及びＲ４’は、独立してそれぞれ水素原子、ハロゲン原子、ハロゲン原子により置換されていてもよいＣ１−６アルキル基、ハロゲン原子により置換されていてもよいＣ１−６アルコキシ基、トリＣ１−６アルキルシリル基又はトリＣ１−６アルキルシロキシ基であり、且つＲ１とＲ１’、Ｒ２とＲ２’、Ｒ３とＲ３’及びＲ４とＲ４’が、それぞれ同一の基であり；
Ｘは、光学活性キラルアミン（前記例示した化合物）との縮合によりアミド化されたカルボキシ基であり；並びに
ｎが、１０以上１００００以下の整数である、化合物（Ｉ）。
【００７６】
更に好適な化合物（Ｉ）は、以下の化合物である。
［化合物（ＩＣ）］
Ｒ１、Ｒ１’、Ｒ２、Ｒ２’、Ｒ３、Ｒ３’、Ｒ４及びＲ４’は、独立してそれぞれ水素原子又はハロゲン原子であり、且つＲ１とＲ１’、Ｒ２とＲ２’、Ｒ３とＲ３’及びＲ４とＲ４’が、それぞれ同一の基であり；
Ｘは、（Ｒ）−（＋）−１−フェニルエチルアミン又は（Ｓ）−（−）−１−フェニルエチルアミンとの縮合によりアミド化されたカルボキシ基であり；並びに
ｎが、１００以上１００００以下の整数である、化合物（Ｉ）。
【００７７】
本発明の化合物（Ｉ）のうち、その２次構造として主鎖に一方向巻きのらせん構造を有する化合物（Ｉ−ｈ）がより好ましく、中でも、上記した化合物（ＩＡ）、化合物（ＩＢ）及び化合物（ＩＣ）の主鎖に一方向巻きのらせん構造を有する化合物（ＩＡ−ｈ）、化合物（ＩＢ−ｈ）及び化合物（ＩＣ−ｈ）が特に好ましい。
【００７８】
本発明の化合物（Ｉ）若しくは化合物（Ｉ−ｈ）の数平均重合度（１分子中に含まれるジフェニルエチレン単位の平均数）は、１０以上、好ましくは１００以上であり、特に上限はないが、１００００以下であることが取り扱いの容易さの点で望ましい。
【００７９】
また、本発明の化合物（Ｉ）若しくは化合物（Ｉ−ｈ）は、同位元素（例えば、３Ｈ、２Ｈ（Ｄ）、１４Ｃ、３５Ｓ等）で標識されていてもよい。
【００８０】
（本発明の化合物（Ｉ）及び化合物（Ｉ−ｈ）の合成）
本発明の化合物（Ｉ）及び化合物（Ｉ−ｈ）の製造方法としては、特に限定されないが、例えば、以下のような反応を経て合成することができる。
【００８１】
原料化合物は、特に述べない限り、市販品として容易に入手できるか、あるいは、自体公知の方法またはこれらに準ずる方法に従って製造することができる。
【００８２】
なお、以下の反応式中の各工程で得られた化合物は、反応液のままか粗生成物として次の反応に用いることもできる。あるいは、該化合物は常法に従って反応混合物から単離することもでき、再結晶、蒸留、クロマトグラフィーなどの通常の分離手段により容易に精製することができる。
【００８３】
本発明の化合物（Ｉ）及び化合物（Ｉ−ｈ）は、例えば、以下の工程により製造することができる。
【００８４】
【化５】
2014126028.tif 000007
【００８５】
［式中、Ｙ及びＹ’は、ハロゲン原子、トリフルオロメタンスルホニルオキシ基等の脱離基を示し、Ｒ７及びＲ７’は、置換されていてもよいアルキル基、置換されていてもよいアリール基、置換されていてもよいアラルキル基を示し、他の記号は、前記と同義である。］
【００８６】
工程１
当該工程は、化合物１をエステル化して、化合物２を製造する工程である。
当該反応は、自体公知の方法（例えば、酸ハライドへと変換後、アルコール（Ｒ７ＯＨ）と反応させる方法、縮合剤及び塩基存在下でアルコール（Ｒ７ＯＨ）と反応させる方法等）により行われる。
【００８７】
酸ハライドへの変換に使用するハロゲン化剤としては、例えば、塩化チオニル、塩化オキサリル等が挙げられる。
溶媒としては、例えば、トルエン、キシレン等の芳香族炭化水素類；ジエチルエーテル、テトラヒドロフラン、ジオキサン等のエーテル類；クロロホルム、ジクロロメタン等のハロゲン化炭化水素類等あるいはそれらの混合物が挙げられる。
反応温度は、通常−１０℃〜３０℃、好ましくは０℃〜２０℃であり、反応時間は、通常１〜３０時間である。
【００８８】
縮合剤としては、ジシクロヘキシルカルボジイミド（ＤＣＣ）、ジイソプロピルカルボジイミド（ＤＩＣ）、Ｎ−エチル−Ｎ’−[３−（ジメチルアミノ）プロピル］カルボジイミドおよびその塩酸塩（ＥＤＣ・ＨＣｌ）、ヘキサフルオロリン酸（ベンゾトリアゾール-1-イルオキシ）トリピロリジノホスホニウム(ＰｙＢｏｐ)、Ｏ−（ベンゾトリアゾール−１−イル）−Ｎ，Ｎ，Ｎ’，Ｎ’−テトラメチルウロニウム  テトラフルオロボレート（ＴＢＴＵ）、１−［ビス（ジメチルアミノ）メチレン］−５−クロロ−１Ｈ−ベンゾトリアゾリウム３−オキシド  ヘキサフルオロホスフェート（ＨＣＴＵ）、Ｏ−ベンゾトリアゾール−Ｎ，Ｎ，Ｎ’，Ｎ’−テトラメチルウロニウム  ヘキサフルオロボレート（ＨＢＴＵ）等が挙げられる。
縮合剤の使用量は、化合物１（１当量）に対して、１〜１０当量使用することができ、好ましくは１〜５モルである。
溶媒としては、例えば、トルエン、キシレン等の芳香族炭化水素類；ジエチルエーテル、テトラヒドロフラン、ジオキサン等のエーテル類；クロロホルム、ジクロロメタン等のハロゲン化炭化水素類等あるいはそれらの混合物が挙げられ、中でも、トルエン、テトラヒドロフラン等が好ましい。
反応温度は、通常−１０℃〜３０℃、好ましくは０℃〜２０℃であり、反応時間は、通常１〜３０時間である。
【００８９】
工程２
当該工程は、化合物２の脱離基Ｙ（好ましくは、ヨウ素）を薗頭カップリング条件下でトリメチルシリルエチニル基に置換して、化合物３へと変換する工程である。
当該反応は、反応に影響を及ぼさない溶媒中、塩基存在下、金属触媒を用いて行われる。
【００９０】
金属触媒としては、例えば、テトラキス（トリフェニルホスフィン）パラジウム（０）（Ｐｄ（ＰＰｈ３）４）、トリス（ジベンジリデンアセトン）ジパラジウム（０）（Ｐｄ２（ｄｂａ）３）、ジクロロビス（トリフェニルホスフィン）パラジウム（ＩＩ）（Ｐｄ（ＰＰｈ３）２Ｃｌ２）、ジクロロビス（アセトニトリル）パラジウム（ＩＩ）（（ＣＨ３ＣＮ）２ＰｄＣｌ２）等のパラジウム化合物が挙げられ、中でも、ジクロロビス（トリフェニルホスフィン）パラジウム（ＩＩ）が好ましい。
該金属触媒の使用量は、化合物２（１当量）に対して、通常０．００１〜１当量である。
【００９１】
塩基としては、例えば、トリエチルアミン等の有機塩基やアンモニア等の無機塩基が挙げられ、中でもトリエチルアミンが好ましい。
該塩基は、溶媒として使用することもでき、該塩基の使用量は、化合物２（１当量）に対して、通常１０〜１０００当量である。
【００９２】
当該工程においては、必要に応じてヨウ化銅や臭化銅等の銅化合物、２−ジシクロヘキシルホスフィノ−２’，４’，６’−トリイソプロピルビフェニル等のホスフィン化合物等の添加物を添加してもよい。
【００９３】
溶媒としては、例えば、テトラヒドロフランや１，４−ジオキサン等のエーテル系溶媒、アセトニトリルやジメチルホルムアミド等の極性溶媒、又はベンゼン等の炭化水素溶媒が挙げられ、中でも、テトラヒドロフランが好ましい。
【００９４】
反応温度は、通常−１０℃〜１００℃、好ましくは０℃〜５０℃である。
反応時間は、通常０．５〜２４時間である。
【００９５】
工程３
当該工程は、化合物３のトリメチルシリル基を除去することにより、化合物４へと変換する工程である。
当該反応は、反応に影響を及ぼさない溶媒中、塩基又はフッ化テトラ-n-ブチルアンモニウム等のフッ化物イオン源を用いて行われる。
【００９６】
塩基としては、例えば、炭酸カリウム、炭酸セシウム、炭酸ナトリウム等の無機塩基が挙げられ、中でも、炭酸カリウムが好ましい。
該塩基の使用量は、化合物３（１当量）に対して、通常１〜１０当量である。
【００９７】
溶媒としては、例えば、テトラヒドロフラン（ＴＨＦ）、ジエチルエーテル、ｔｅｒｔ−ブチルメチルエーテル、ジイソプロピルエーテル、エチレングリコール−ジメチルエーテル（ＤＭＥ）、ジエチレングリコールジメチルエーテル（ジグリム（ｄｉｇｌｙｍｅ））等のエーテル系溶媒、メタノール、エタノール等のアルコール系溶媒、テトラヒドロフランとメタノール、ＤＭＥとメタノールのような混合溶媒等が挙げられ、中でもテトラヒドロフランとメタノールの混合溶媒が好ましい。
【００９８】
反応温度は、通常−２０℃〜１００℃、好ましくは−１０℃〜４０℃である。
反応時間は、通常０．５〜２４時間である。
【００９９】
工程４
当該工程は、化合物２’の脱離基Ｙ’（好ましくは、ヨウ素）を薗頭カップリング条件下で化合物４とカップリング反応を行い、化合物５へと変換する工程である。
【０１００】
当該カップリング反応は、工程２と同様の反応形態及び反応条件により行うことができる。
【０１０１】
工程５
当該工程は、化合物５を重合させることにより、化合物６へと変換する工程である。
当該反応は、反応に影響を及ぼさない溶媒中、窒素雰囲気下、金属触媒を用いて行われる。
【０１０２】
金属触媒としては、塩化タングステン（ＶＩ）及びテトラフェニルすず（ＩＶ）の混合触媒が好ましい。
該金属触媒の使用量は、化合物５（１当量）に対して、通常０．０００１〜０．２当量、好ましくは、０．００１〜０．１当量である。
【０１０３】
溶媒としては、例えば、トルエン、キシレン等の芳香族炭化水素類；テトラヒドロフラン、ジオキサン等のエーテル類等あるいはそれらの混合物が挙げられ、中でも、トルエン等が好ましい。
【０１０４】
当該工程で使用される溶媒の量は、例えば、化合物５が０．００１〜１Ｍ程度の濃度となる量が好ましい。特に０．１〜０．５Ｍ程度の濃度となる量が好ましい。
【０１０５】
反応温度は、通常−１０℃〜２００℃、好ましくは１０℃〜１２０℃である。
反応時間は、通常０．５〜３０時間である。
【０１０６】
工程６
当該工程は、化合物６のエステルを加水分解して、化合物（ＩＩ）に変換する工程である。
当該反応は、反応に影響を及ぼさない溶媒中、塩基を用いて行われる。
【０１０７】
塩基としては、例えば、水酸化カリウム、水酸化ナトリウム等の無機塩基が挙げられ、中でも、水酸化カリウムが好ましい。
該塩基の使用量は、化合物６（１当量）に対して、通常１〜１００当量である。
【０１０８】
溶媒としては、例えば、テトラヒドロフラン（ＴＨＦ）、ジエチルエーテル、ｔｅｒｔ−ブチルメチルエーテル、ジイソプロピルエーテル、エチレングリコール−ジメチルエーテル（ＤＭＥ）、ジエチレングリコールジメチルエーテル（ジグリム（ｄｉｇｌｙｍｅ））等のエーテル系溶媒と水の混合溶媒等が挙げられ、中でもテトラヒドロフランと水の混合溶媒が好ましい。
【０１０９】
反応温度は、通常０℃〜１００℃、好ましくは１０℃〜８０℃である。
反応時間は、通常０．５〜３０時間である。
【０１１０】
工程７
当該工程は、化合物（ＩＩ）のカルボキシ基を光学活性キラル化合物との縮合反応によりアミド化又はエステル化して化合物（Ｉ）に変換する工程である。
【０１１１】
当該エステル化は、アルコールとして光学活性キラルアルコール（好ましくは、例えば、光学活性キラル化合物として前記例示した化合物のうち、１−フェニルエチルアルコール、１−フェニル−２−プロパノール、１，２，３，４−テトラヒドロ−１−ナフトール、１−アセチル−３−ピロリジノール、１−ベンジル−３−ピロリジノール、２−ブタノール、α−ヒドロキシ−γ−ブチロラクトン、３−ヒドロキシテトラヒドロフラン、１−メチル−３−ピロリジノール、２−オクタノール、２−ペンタノール、１−（２−ナフチル）エタノール、メントール、ボルネオール、キニジン、キニン、キンコリン、キンコリジン、シンコニジン、シンコニン等）を使用する以外は、工程１と同様の反応形態及び反応条件により行うことができる。
【０１１２】
当該アミド化は、自体公知の方法に従い、縮合剤存在下で化合物（ＩＩ）と光学活性キラルアミン（好ましくは、前記例示した化合物である。）とを反応させる方法等により行われる。
当該反応は、反応に影響を及ぼさない溶媒中、必要に応じて縮合添加剤存在下、縮合剤を用いて行われる。
【０１１３】
縮合添加剤としては、１−ヒドロキシベンゾトリアゾール（ＨＯＢｔ）、１−ヒドロキシ−１Ｈ−１，２，３−トリアゾール−５−カルボン酸エチルエステル（ＨＯＣｔ）、１−ヒドロキシ−７−アザベンゾトリアゾール（ＨＯＡｔ）等が挙げられる。
縮合添加剤の使用量は、化合物（ＩＩ）１当量に対して、好ましくは０．０５〜１．５当量である。
【０１１４】
縮合剤としては、４−（４，６−ジメトキシ−１，３，５−トリアジン−２−イル）−４−メチルモルホリニウムクロリド（ＤＭＴ−ＭＭ）、ジシクロヘキシルカルボジイミド（ＤＣＣ）、ジイソプロピルカルボジイミド（ＤＩＣ）、Ｎ−エチル−Ｎ’−［３−（ジメチルアミノ）プロピル］カルボジイミドおよびその塩酸塩（ＥＤＣ・ＨＣｌ）、ヘキサフルオロリン酸（ベンゾトリアゾール-1-イルオキシ）トリピロリジノホスホニウム(ＰｙＢｏｐ)、Ｏ−（ベンゾトリアゾール−１−イル）−Ｎ，Ｎ，Ｎ’，Ｎ’−テトラメチルウロニウム  テトラフルオロボレート（ＴＢＴＵ）、１−［ビス（ジメチルアミノ）メチレン］−５−クロロ−１Ｈ−ベンゾトリアゾリウム−３−オキシド  ヘキサフルオロホスフェート（ＨＣＴＵ）、Ｏ−ベンゾトリアゾール−Ｎ，Ｎ，Ｎ’，Ｎ’−テトラメチルウロニウム  ヘキサフルオロボレート（ＨＢＴＵ）等が挙げられるが、水系溶媒中でも使用可能なＤＭＴ−ＭＭが特に好適である。
縮合剤の使用量は、化合物（ＩＩ）１当量に対して、１〜１０当量使用することができ、好ましくは１〜５当量である。
溶媒としては、例えば、水；ジメチルスルホキシド（ＤＭＳＯ）；トルエン、キシレン等の芳香族炭化水素類；ジエチルエーテル、テトラヒドロフラン、ジオキサン等のエーテル類；クロロホルム、ジクロロメタン等のハロゲン化炭化水素類等あるいはそれらの混合物が挙げられ、中でも、水とＤＭＳＯの混合溶媒等が好ましい。
反応温度は、通常０〜４０℃、好ましくは０℃〜室温であり、反応時間は、通常１〜３０時間である。
【０１１５】
工程８
当該工程は、化合物（Ｉ）の主鎖に一方向巻きのらせん構造を形成させて、化合物（Ｉ−ｈ）に変換する工程である。
当該反応は、反応に影響を及ぼさない溶媒中で化合物（Ｉ）を加熱処理して行われる。
【０１１６】
溶媒としては、例えば、ジメチルホルムアミド（ＤＭＦ）、ジメチルスルホキシド（ＤＭＳＯ）、ジメチルアセトアミド（ＤＭＡ）、又はそれらの混合溶媒が挙げられ、中でも、ＤＭＦ／ＤＭＳＯ混合溶媒が好ましい。
反応温度は、通常１０℃〜２００℃、好ましくは８０℃〜１００℃であり、反応時間は、通常１〜３０時間である。
【０１１７】
化合物（Ｉ）に一方向巻きのらせんキラリティーが誘起されたか否か（すなわち、化合物（Ｉ−ｈ）が形成されたか否か）は、ＣＤ及びＵＶスペクトルを測定することにより確認することができる。
【０１１８】
化合物（Ｉ）にどの程度の光学純度で一方向巻きのらせんキラリティーが誘起されたかどうか（すなわち、化合物（Ｉ−ｈ）のらせんキラリティーの片寄りの程度）は、ＣＤスペクトルのピーク強度（Δε）を測定することにより確認することができる。すなわち、ピーク強度が大きいほど、らせんの巻き方向が一方向に片寄っていることを示す。
【０１１９】
（本発明の化合物（Ｉ）又は化合物（Ｉ−ｈ）を担持してなるキラルカラム用充填剤、及び該充填剤が充填された高速液体クロマトグラフィー用キラルカラムの製造方法）
本発明の化合物（Ｉ）又は化合物（Ｉ−ｈ）は、それ自体を光学異性体分離剤として使用することもできるが、通常、多孔質有機担体又は多孔質無機担体等の担体に担持させることが好ましい。
【０１２０】
本発明に用いられる最も好ましい担体はシリカゲルであり、シリカゲルの粒径は０．１μｍ〜３００μｍ、好ましくは１μｍ〜１０μｍであり、平均孔径は１０Å〜１００μｍ、好ましくは５０Å〜５００００Åである。
【０１２１】
本発明の化合物（Ｉ）又は化合物（Ｉ−ｈ）のシリカゲルへの担持方法としては、最も簡便には、本発明の化合物（Ｉ）又は化合物（Ｉ−ｈ）をアセトン／テトラヒドロフラン混合溶媒に溶解し、シリカゲルにコーティングして担持させる方法が挙げられる。
【０１２２】
本発明の化合物（Ｉ）又は化合物（Ｉ−ｈ）のシリカゲルへの担持量は、熱重量分析を用いて確認することができる。
【０１２３】
本発明の化合物（Ｉ）又は化合物（Ｉ−ｈ）が担持されたシリカゲルをスラリー法（溶媒としては、ヘキサンが好ましい。）によりカラムに充填することによりキラルカラムを調製することができる。
【実施例】
【０１２４】
以下、本発明を実施例により詳細に説明するが、本発明はこれらより何ら限定されるものではない。【０１２５】
反応は、Ｍｅｒｃｋ  ６０  Ｆ２５４  シリカゲルプレート（厚さ０．２５ｍｍ）を用いて、薄層クロマトグラフィーによりモニターした。
１Ｈ及び１３Ｃ−ＮＭＲスペクトルは、ＪＥＯＬ  ＥＣＡ５００を用い、重クロロホルム、重ジメチルスルホキシド及び重水を溶媒として測定した。１Ｈ−ＮＭＲについてのデータは、化学シフト（δｐｐｍ）、多重度（ｓ＝シングレット、ｄ＝ダブレット、ｔ＝トリプレット、ｑ＝カルテット、ｑｕｉｎｔ＝クインテット、ｍ＝マルチプレット、ｄｄ＝ダブルダブレット、ｄｔ＝ダブルトリプレット、ｂｒｓ＝ブロードシングレット）、カップリング定数（Ｈｚ）、積分及び割当てとして報告する。
フラッシュクロマトグラフィーは、関東化学株式会社（日本、東京）のシリカゲル６０Ｎを用いて行った。
平均分子量はゲル浸透クロマトグラフィー（日本分光製高速液体クロマトグラフィーポンプ  ＰＵ−２０８０、日本分光製紫外可視検出器  ＵＶ−９７０、日本分光製カラムオーブン  ＣＯ−１５６０、Ｓｈｏｄｅｘ製カラム  ＫＦ−８０５Ｌ）によりポリスチレン換算で算出した。
調製した本発明の化合物（Ｉ）の分離能の測定には日本分光製高速液体クロマトグラフィーポンプＰＵ−２０８０、日本分光製紫外可視検出器  ＭＤ−９１０、日本分光製旋光検出器  ＯＲ−９９０を用いた。円二色性（ＣＤ）測定は日本分光製円二色性分散計  Ｊ−７２５、紫外可視吸収測定は日本分光製紫外可視分光光度計  Ｖ−５７０、赤外吸収測定は、日本分光製赤外分光光度計  ＦＴ／ＩＲ−４６０を用いて行った。
以下の実施例中の「室温」は通常約１０℃ないし約２５℃を示す。混合溶媒において示した比は、特に断らない限り容量比を示す。％は、特に断らない限り重量％を示す。【０１２６】
実施例１
化合物（Ｉａ）の合成【０１２７】
（１）４−ヨード安息香酸ヘプチル（２ａ）の合成【０１２８】
【化６】
2014126028.tif 000008
【０１２９】
窒素雰囲気下、４−ヨード安息香酸（１ａ）（１０．６ｇ，４２．９ｍｍｏｌ）を脱水ジクロロメタン（１４０ｍＬ）に溶解し、脱水Ｎ，Ｎ−ジメチルホルムアミドを数滴加えた。その後、０℃で塩化オキサリル（４．５０ｍＬ，４２．４ｍｍｏｌ）を加え室温で１０時間撹拌した。溶媒除去した後、脱水ピリジン（７０ｍＬ）とｎ−ヘプタノール（７．０ｍＬ，４９．４ｍｍｏｌ）を加え、７０℃で５時間撹拌した。反応溶媒を除去した後、酢酸エチルで希釈し、蒸留水と飽和炭酸水素ナトリウム水溶液で洗浄し、有機層を無水硫酸ナトリウムで脱水した。溶媒を減圧除去し、残渣をカラムクロマトグラフィー（酢酸エチル：ヘキサン＝１：１９）で精製することにより、４−ヨード安息香酸ヘプチル（２ａ）（１４．５ｇ、収率９７％）を油状液体として得た。【０１３０】
（２）４−［（トリメチルシリル）エチニル］安息香酸ヘプチル（３ａ）の合成【０１３１】
【化７】
2014126028.tif 000009
【０１３２】
窒素雰囲気下、４−ヨード安息香酸ヘプチル（２ａ）（１０．１ｇ，２９．３ｍｍｏｌ）を脱水トリエチルアミン（５０ｍＬ）に溶解し、Ｐｄ（ＰＰｈ３）２Ｃｌ２（０．０８２０ｇ，０．１１７ｍｍｏｌ）、トリフェニルホスフィン（０．１２６ｇ，０．４８０ｍｍｏｌ）、ヨウ化銅（Ｉ）（０．１３５ｇ，０．１９２ｍｍｏｌ）、トリメチルシリルアセチレン（ＴＭＳＡ）（４．３０ｍＬ，３１．７ｍｍｏｌ）を加え、室温で２０時間撹拌した。反応溶液をセライトろ過した後、溶媒を減圧除去し、残渣をカラムクロマトグラフィー（酢酸エチル：ヘキサン＝１：３０）で精製することにより、４−［（トリメチルシリル）エチニル］安息香酸ヘプチル（３ａ）（９．２３ｇ、収率９８％）を油状液体として得た。【０１３３】
（３）４−エチニル安息香酸ヘプチル（４ａ）の合成【０１３４】
【化８】
2014126028.tif 000010
【０１３５】
４−［（トリメチルシリル）エチニル］安息香酸ヘプチル（３ａ）（１０．４ｇ，３２．８ｍｍｏｌ）をテトラヒドロフラン／メタノール（３／１，ｖ／ｖ）（４００ｍＬ）に溶解し、炭酸カリウム（１．００ｇ，７．２４ｍｍｏｌ）を加え、−１０℃で１時間撹拌した。反応溶媒を濃縮した後、酢酸エチルで希釈し、１Ｎ塩酸、飽和炭酸水素ナトリウム水溶液で洗浄し、有機層を無水硫酸ナトリウムで脱水した。溶媒を減圧除去し、残渣をカラムクロマトグラフィー（酢酸エチル：ヘキサン＝１：２５）で精製することにより、４−エチニル安息香酸ヘプチル（４ａ）（６．５８ｇ、収率８２％）を油状液体として得た。【０１３６】
（４）ビス［（４−へプチロキシカルボニル）フェニル］アセチレン（５ａ）の合成【０１３７】
【化９】
2014126028.tif 000011
【０１３８】
窒素雰囲気下、４−ヨード安息香酸ヘプチル（２ａ）（３．６４ｇ，１０．５ｍｍｏｌ）を脱水トリエチルアミン（８．６ｍＬ）に溶解し、脱水テトラヒドロフラン（４．０ｍＬ）、トリフェニルホスフィン（３９．３ｍｇ，０．１５０ｍｍｏｌ）、ヨウ化銅（Ｉ）（４３．８ｍｇ，０．２３０ｍｍｏｌ）、Ｐｄ（ＰＰｈ３）２Ｃｌ２（２７．９ｍｇ，０．０３９７ｍｍｏｌ）を加えた。その後、４−エチニル安息香酸ヘプチル（４ａ）（２．６４ｇ，１０．８ｍｍｏｌ）を脱水テトラヒドロフラン（２．０ｍＬ）に溶かした溶液をゆっくり滴下し、室温で３時間撹拌した。反応溶液をセライトろ過し、減圧除去した後、酢酸エチルで希釈し、水、飽和食塩水で洗浄し、有機層を無水硫酸ナトリウムで脱水した。溶媒を減圧除去し、残渣をカラムクロマトグラフィー（酢酸エチル：ヘキサン＝１：１０）で精製した。続いてメタノール／エタノール（５：１，ｖ／ｖ）で再結晶を行い、ビス［（４−へプチロキシカルボニル）フェニル］アセチレン（５ａ）（４．６４ｇ、収率９５％）を白色固体として得た。
ｍｐ：６１．３−６２．４℃；
ＩＲ（ＫＢｒ，ｃｍ−１）：１９４３（Ｃ≡Ｃ），１７０７（Ｃ＝Ｏ）；
１Ｈ  ＮＭＲ（５００ＭＨｚ，ＣＤＣｌ３，ｒｔ）：δ８．０４（ｄ，Ｊ＝８．６Ｈｚ，４Ｈ，Ａｒ−Ｈ），７．６０（ｄ，Ｊ＝８．０Ｈｚ，４Ｈ，Ａｒ−Ｈ），４．３３（ｔ，Ｊ＝６．６Ｈｚ，４Ｈ，２ＯＣＨ２ＣＨ２），１．７６（ｑｕｉｎｔ，Ｊ＝６．６Ｈｚ，４Ｈ，２ＯＣＨ２ＣＨ２），１．２５−１．４７（ｍ，１６Ｈ，８ＣＨ２），０．９０（ｔ，Ｊ＝６．９Ｈｚ，６Ｈ，２ＣＨ３）；
１３Ｃ  ＮＭＲ（１２５ＭＨｚ，ＣＤＣｌ３，ｒｔ）：δ１６６．１９，１３１．７６，１３０．４６，１２９．６８，１２７．３８，９１．４９，６５．５６，３１．８８，２９．１１，２８．８５，２６．１５，２２．７５，１４．２３；
元素分析：Ｃａｌｃｄ  ｆｏｒ  Ｃ３０Ｈ３８Ｏ４：Ｃ，７７．８９；Ｈ，８．２８．Ｆｏｕｎｄ：Ｃ，７７．６０；Ｈ，８．３７．【０１３９】
（５）化合物（５ａ）の重合による化合物（６ａ）の合成【０１４０】
【化１０】
2014126028.tif 000012
【０１４１】
窒素雰囲気下、シュレンク管にビス［（４−へプチロキシカルボニル）フェニル）］アセチレン（５ａ）（６００ｍｇ，１．３０ｍｍｏｌ）、塩化タングステン（ＶＩ）（５１．６ｍｇ，０．１３０ｍｍｏｌ）、テトラフェニルすず（ＩＶ）（５５．５ｍｇ，０．１３０ｍｍｏｌ）を入れ、真空蒸留した脱水トルエン（２．６ｍＬ）を加えた。その後、１１０℃で２４時間撹拌した。室温まで冷却後、大量のメタノールに再沈殿させ、遠心分離により黄土色固体を得た。続いて、少量のトルエンに溶解させ、大量のテトラヒドロフラン／メタノール（３：１，ｖ／ｖ）混合溶媒に再沈殿させ、遠心分離によりポリ（ジフェニルアセチレン）へプチルエステル（化合物（６ａ））（４０４ｍｇ、収率６７％）を黄土色固体として回収した。ゲル浸透クロマトグラフィー測定により求めた化合物（６ａ）のポリスチレン換算の数平均分子量Ｍｎは１．４６×１０４であり分散度Ｍｗ／Ｍｎは１．５８であった。
ＩＲ（ＫＢｒ，ｃｍ−１）：１７２１（Ｃ＝Ｏ）；
１Ｈ  ＮＭＲ（５００ＭＨｚ，ＣＤＣｌ３，５０℃）：δ７．１６−７．２８（ｂｒ，４Ｈ，Ａｒ−Ｈ），６．４１−６．７１（ｂｒ，２Ｈ，Ａｒ−Ｈ），５．９２−６．１５（ｂｒ，２Ｈ，Ａｒ−Ｈ），４．０３−４．４８（ｂｒ，４Ｈ，２ＯＣＨ２ＣＨ２），１．６０−１．９３（ｂｒ，４Ｈ，２ＯＣＨ２ＣＨ２），１．２５−１．４７（ｂｒ，１６Ｈ，８ＣＨ２），０．７９−１．０４（ｂｒ，６Ｈ，２ＣＨ３）；
元素分析：Ｃａｌｃｄ  ｆｏｒ  Ｃ３０Ｈ３８Ｏ４：Ｃ，７７．８９；Ｈ，８．２８．Ｆｏｕｎｄ：Ｃ，７７．４０；Ｈ，８．４２．【０１４２】
（６）化合物（６ａ）の加水分解による化合物（ＩＩａ）の合成【０１４３】
【化１１】
2014126028.tif 000013
【０１４４】
化合物（６ａ）（４００ｍｇ）をテトラヒドロフラン（１５ｍＬ）に溶解し、４Ｎ水酸化カリウム水溶液（３５ｍＬ）を加え、８０℃で２時間撹拌した。その後、テトラヒドロフランを留去し、４Ｎ水酸化カリウム水溶液（３０ｍＬ）を加え、８０℃で２４時間撹拌した。反応溶液に蒸留水を加えた後、ジエチルエーテル、クロロホルムで洗浄した。水層に１Ｎ塩酸水溶液を加えて酸性にし、析出した固体を遠心分離により回収し、その後、蒸留水で洗浄することによりポリ（ジフェニルアセチレン）カルボン酸（光学不活性体）（化合物（ＩＩａ））（１８０ｍｇ、収率７８％）を褐色固体として得た。
ＩＲ（ＫＢｒ，ｃｍ−１）：１７０１（Ｃ＝Ｏ）；
１Ｈ  ＮＭＲ（５００ＭＨｚ，ｄ６−ＤＭＳＯ／Ｄ２Ｏ（１：１，ｖ／ｖ），８０℃）：δ７．１９−６．８８（ｂｒ，４Ｈ，Ａｒ−Ｈ），６．５３−６．３１（ｂｒ，２Ｈ，Ａｒ−Ｈ），６．１２−５．８２（ｂｒ，２Ｈ，Ａｒ−Ｈ）；
元素分析：Ｃａｌｃｄ  ｆｏｒ  （Ｃ１６Ｈ１０Ｏ４・２．１Ｈ２Ｏ）ｎ：Ｃ，６３．２０；Ｈ，４．７１．Ｆｏｕｎｄ：Ｃ，６３．０４；Ｈ，４．５５．【０１４５】
（７）化合物（ＩＩａ）と（Ｓ）−（−）−１−フェニルエチルアミンとの縮合による化合物（Ｉａ）の合成【０１４６】
【化１２】
2014126028.tif 000014
【０１４７】
化合物（ＩＩａ）（１２０ｍｇ，０．４５１ｍｍｏｌ）をジメチルスルホキシド／水（５：１，ｖ／ｖ）（２１ｍＬ）に溶解し、（Ｓ）−（−）−１−フェニルエチルアミン（２２３μＬ，１．８８ｍｍｏｌ）、ＤＭＴ−ＭＭ（５２０ｍｇ，１．８８ｍｍｏｌ）を加え、室温で１６時間撹拌した。反応溶液を大量のヘキサン／エタノール（５：１，ｖ／ｖ）混合溶媒に再沈殿し、遠心分離により回収した後、ヘキサンで洗浄することにより化合物（Ｉａ）（１２５ｍｇ、収率６０％）を黄色固体として得た。【０１４８】
（８）化合物（Ｉａ）の加熱処理による一方向巻きのらせん構造を有する光学活性な化合物（Ｉａ−ｈ）の合成【０１４９】
【化１３】
2014126028.tif 000015
【０１５０】
前記（７）により得られた化合物（Ｉａ）（１５０ｍｇ）をジメチルスルホキシド／Ｎ，Ｎ−ジメチルホルムアミド（２：１，ｖ／ｖ）（１６ｍＬ）に溶解し、９０℃で１５時間加熱した。反応液を濃縮後、大量のメタノールに再沈殿させ、遠心分離により化合物（Ｉａ−ｈ）（１４７ｍｇ）を収率９８％で得た。得られた化合物（Ｉａ−ｈ）をジメチルスルホキシド／Ｎ，Ｎ−ジメチルホルムアミド（２：１，ｖ／ｖ）に溶解し、ＣＤおよびＵＶスペクトルを測定した結果を図１に示した。９０℃で加熱することで主鎖の吸収領域に、強い誘起ＣＤが発現することが確認された。これにより化合物（Ｉａ）に一方向巻きのらせん構造が誘起され、一方向巻きのらせん構造を有する光学活性な化合物（Ｉａ−ｈ）が生成したことが確認できた。【０１５１】
実施例２
カラムの調製と不斉識別能評価【０１５２】
（１）化合物（Ｉａ）を担持させた光学分割用キラルカラム（Ａ）の調製
化合物（Ｉａ）（１５０ｍｇ）をアセトン／テトラヒドロフラン（４：１，ｖ／ｖ）（５ｍＬ）に溶解し、メンブランフィルター（０．２μｍ）によりろ過を行った後、ＨＰＬＣ用のシリカゲル（ダイソー製：粒径７μｍ）に担持した。得られたポリマー担持ゲルをスラリー法（溶媒：ヘキサン）により長さ２５ｃｍ、内径０．２０ｃｍのステンレスカラムに充填した。【０１５３】
（２）化合物（Ｉａ−ｈ）を担持させた光学分割用キラルカラム（Ｂ）の調製
化合物（Ｉａ−ｈ）（１５０ｍｇ）をアセトン／テトラヒドロフラン（２：１，ｖ／ｖ）（５ｍＬ）に溶解し、メンブランフィルター（０．２μｍ）によりろ過を行った後、ＨＰＬＣ用のシリカゲル（ダイソー製：粒径７μｍ）に担持した。得られたポリマー担持ゲルをスラリー法（溶媒：ヘキサン）により長さ２５ｃｍ、内径０．２０ｃｍのステンレスカラムに充填した。【０１５４】
（３）キラルカラム（Ａ）、（Ｂ）を用いた１，１’−ビ−２−ナフトールの光学分割
上記（１）、（２）の操作で調製されたキラルカラム（Ａ）、（Ｂ）を用いて、１，１’−ビ−２−ナフトールのラセミ体の光学分割をＨＰＬＣにより行った（室温：約２０℃）。溶離液にはヘキサン／２−プロパノール＝９０／１０（ｖ／ｖ）を用いて、流速は０．１ｍＬ／分とした。また、溶離液がカラムを素通りする時間ｔ０は１，３，５−トリ−ｔｅｒｔ−ブチルベンゼンの溶出時間から求めた。その結果、キラルカラム（Ａ）を用いた場合には、ｋ１＝１．５２、α＝１．３４と見積もられ、キラルカラム（Ｂ）を用いた場合には、ｋ１＝０．８０、α＝１．５３と見積もられた（表１、図２（キラルカラム（Ｂ）による分離結果））。【０１５５】
（３）ＨＰＬＣによるキラルカラム（Ａ）、（Ｂ）の不斉識別能の確認
上記（１）、（２）の操作で調製されたキラルカラム（Ａ）、（Ｂ）を用いて、様々な化合物のラセミ体の光学分割をＨＰＬＣ（流速は、０．１ｍＬ／分（ヘキサン／２−プロパノール＝９０／１０又は９９／１）により行った。その分離条件と結果を表１に示した。いずれのカラムを用いても光学分割は可能であるが、キラルカラム（Ｂ）を用いた方が、分離係数（α）の値が増加していることから、加熱処理により主鎖にらせんのキラリティーを誘起することにより光学分割能がより顕著に向上することが確認できた。【０１５６】
【表１】
2014126028.tif 000016
【０１５７】
ここで保持係数ｋ１とは、最初に溶出するエナンチオマーが充填剤とどの程度強く相互作用しているかどうかを表す指標であり、具体的には、式：ｋ１＝（ｔ１−ｔ０）／ｔ０（式中、ｔ１：最初に溶出するエナンチオマーの溶出時間、ｔ０：充填剤と全く相互作用しない物質（１，３，５−トリ−ｔｅｒｔ−ブチルベンゼン）が溶出してくる時間）で表される式により算出される。また、分離係数αとは、両エナンチオマーの保持係数の比を意味し、具体的には、式：α＝ｋ２／ｋ１（式中、ｋ１：先に溶出するエナンチオマーの保持係数、ｋ２：後から溶出するエナンチオマーの保持係数）で表される式により算出される。一般には、αが１の場合、溶出時間が全く同じで分離されないことを意味し、α＞１であれば、両エナンチオマーが分離可能であることを示し、一般にαが１．２以上であれば、ピークの裾まで完全に分離可能であることを示す。【０１５８】
表１によれば、本発明の化合物（Ｉ）又は化合物（Ｉ−ｈ）をＨＰＬＣカラムのキラル固定相として使用することにより、アミド、ケトン、フェノール、アルコール、金属錯体等の広範なキラル化合物のラセミ体を極めて効率良く分離できることが確認された。
【産業上の利用可能性】
【０１５９】
本発明によれば、光学活性なポリ（ジフェニルアセチレン）化合物（化合物（Ｉ））及びその主鎖に一方向巻きのらせんキラリティーを誘起した化合物（化合物（Ｉ−ｈ））を簡便に合成することができる。本発明の化合物を用いれば、広範なキラル化合物の光学分割が可能であり、かつ分離能も高いため、簡便かつ実用的な光学異性体の分離方法を提供することができる。さらに、化合物（Ｉ）の製造に使用する光学活性キラル化合物として市販の化合物を広く使用できるので、その種類や絶対配置を、分離対象物の種類や溶出順序に応じて容易に選択及び最適化することができるという利点を有する。
【図１】
2014126028.tif 000020
【図２】
2014126028.tif 000021
【国際調査報告】
2014126028.tif 000022
2014126028.tif 000023
2014126028.tif 000024
2014126028.tif 000025